(57)【要約】【課題】輻輳制御のためのワイヤレス通信装置、方法、およびシステムが提供される。【解決手段】装置は、第１のノードにおいて、無線信号を送信および／または受信するように動作するトランシーバと、無線信号のチャネルリソースプールについての１つまたは複数のチャネルビジー率（Ｃｈａｎｎｅｌ  ｂｕｓｙ  ｒａｔｉｏ）を測定し、測定された１つまたは複数のチャネルビジー率に基づいてチャネルリソースプールに対して輻輳制御（ｃｏｎｇｅｓｔｉｏｎ  ｃｏｎｔｒｏｌ）を実行するように動作する回路とを備える。【選択図】図９Ａ
2020205648.tif 000002
【特許請求の範囲】
【請求項１】
通信装置により測定されたリソースプールにおける第１のチャネルビジー率を受信する受信機と、
受信された前記第１のチャネルビジー率を復号する回路と、を具備し、
前記通信装置は測定した前記リソースプールにおける第２のチャネルビジー率と無線信号の優先度とに基づいて無線パラメータに含まれる送信回数を決定し、
前記受信機は、前記通信装置により前記送信回数を含む前記無線パラメータを用いて送信された前記無線信号を受信する、
基地局。
【請求項２】
前記第１のチャネルビジー率及び前記第２のチャネルビジー率は、データチャネルに関する１つ以上のチャネルビジー率、および、制御チャネルに関する１つ以上のチャネルビジー率を含む、
請求項１に記載の基地局。
【請求項３】
前記第１のチャネルビジー率及び前記第２のチャネルビジー率は、PSSCHに関する１つ以上のチャネルビジー率、および、PSCCHに関する１つ以上のチャネルビジー率を含む、
請求項１に記載の基地局。
【請求項４】
前記第１のチャネルビジー率は、前記リソースプールの第１のタイプに関する第１のチャネルビジー率であり、前記第２のチャネルビジー率は、前記リソースプールの第２のタイプに関する第２のチャネルビジー率である、
請求項１に記載の基地局。
【請求項５】
前記第１のチャネルビジー率は、当該基地局が前記通信装置の通信に用いられるリソースを割り当てる第１の送信モードで用いられる第１のリソースプールに関する第１のチャネルビジー率である、
請求項１に記載の基地局。
【請求項６】
前記第２のチャネルビジー率は、前記通信装置が自発的に通信に用いるリソースを割り当てる第２の送信モードで用いられる第２のリソースプールに関する第２のチャネルビジー率である、
請求項５に記載の基地局。
【請求項７】
前記第１のチャネルビジー率及び前記第２のチャネルビジー率は、コンポーネントキャリア単位で測定される、
請求項１に記載の基地局。
【請求項８】
前記無線パラメータは、トランスポートブロックの送信電力を含む、
請求項１に記載の基地局。
【請求項９】
前記第１のチャネルビジー率の報告がイベントによって開始される、
請求項１に記載の基地局。
【請求項１０】
前記第１のチャネルビジー率は周期的に報告される、
請求項１に記載の基地局。
【請求項１１】
前記第１のチャネルビジー率及び前記第２のチャネルビジー率の各々は、合計リソース数における閾値を超えるリソース数の率を示す、
請求項１に記載の基地局。
【請求項１２】
前記第１のチャネルビジー率及び前記第２のチャネルビジー率の各々は、複数のPhysical Resource Blocks (PRB)において計算される、
請求項１に記載の基地局。
【請求項１３】
通信装置により測定されたリソースプールにおける第１のチャネルビジー率を受信し、
受信された前記第１のチャネルビジー率を復号し、
前記通信装置は測定した前記リソースプールにおける第２のチャネルビジー率と無線信号の優先度とに基づいて無線パラメータに含まれる送信回数を決定し、
前記通信装置により前記送信回数を含む前記無線パラメータを用いて送信された前記無線信号を受信する、
通信方法。
【請求項１４】
通信装置により測定されたリソースプールにおける第１のチャネルビジー率を受信する、処理と、
受信された前記第１のチャネルビジー率を復号する、処理と、
を制御し、
前記通信装置は測定した前記リソースプールにおける第２のチャネルビジー率と無線信号の優先度とに基づいて無線パラメータに含まれる送信回数を決定し、
前記通信装置により前記送信回数を含む前記無線パラメータを用いて送信された前記無線信号を受信する、
集積回路。
【請求項１５】
リソースプールにおける第１のチャネルビジー率及び第２のチャネルビジー率を測定する回路と、
前記第１のチャネルビジー率を基地局に送信する送信機と、を具備し、
前記回路は前記第２のチャネルビジー率と無線信号の優先度とを用いて無線パラメータに含まれる送信回数を決定し、
前記送信機は前記送信回数を含む前記無線パラメータを用いて第２の通信装置に前記無線信号を送信する、
端末と、
前記第１のチャネルビジー率と前記無線信号を受信する受信機と、
受信された前記第１のチャネルビジー率を復号する回路と、を具備する、
基地局と、を含む、
通信システム。
【発明の詳細な説明】
【技術分野】
【０００１】
本技術は、基地局、通信方法、集積回路、および通信システムに関する。
【背景技術】
【０００２】
輻輳制御機能は、ヨーロッパにおける５．９ＧＨｚの高度道路交通システム（ＩＴＳ）帯で動作する機器に必須の要件であり、第３世代パートナーシッププロジェクト（３ＧＰＰ）は、特に車両間通信（Ｖ２Ｖ：Vehicle to vehicle）の議論に基づいて、輻輳制御機能も明示しようとしている。
【発明の概要】
【発明が解決しようとする課題】
【０００３】
１つの非限定的かつ例示的な実施形態は、輻輳制御のためのワイヤレス通信方法、装置、およびシステムを提供する。
【課題を解決するための手段】
【０００４】
１つの一般的な態様では、第１のノードにおいて、無線信号を送信および／または受信するように動作するトランシーバと、無線信号のチャネルリソースプールについての１つまたは複数のチャネルビジー率を測定し、測定されたチャネルビジー率に基づいてチャネルリソースプールに対して輻輳制御を実行するように動作する回路とを備える、装置が提供される。
【０００５】
別の一般的な態様では、無線信号を送信および／または受信するように動作する第１のノードにおいて、方法が提供され、方法は、無線信号のチャネルリソースプールについての１つまたは複数のチャネルビジー率を測定するステップと、測定されたチャネルビジー率に基づいてチャネルリソースプールに対して輻輳制御を実行するステップとを備える。
【０００６】
別の一般的な態様では、第１のノードにおいて、プロセッサと、プロセッサによって実行されると、無線信号のチャネルリソースプールについての１つまたは複数のチャネルビジー率を測定するステップと、測定されたチャネルビジー率に基づいてチャネルリソースプールに対して輻輳制御を実行するステップとを含む方法を実施するために、プロセッサと結合されたメモリとを備える、システムが提供される。
【０００７】
一般的または具体的な実施形態は、システム、方法、集積回路、コンピュータプログラム、記憶媒体、またはそれらの任意の選択的な組合せとして実装されてもよいことに留意されたい。
【０００８】
開示された実施形態のさらなる利益および利点は、明細書および図面から明らかになる。利益および／または利点は、明細書および図面の様々な実施形態および特徴によって個別に取得されてもよく、それらは、そのような利益および／または利点のうちの１つまたは複数を取得するためにすべて提供される必要はない。
【図面の簡単な説明】
【０００９】
【図１】ユーザ機器（ＵＥ：Ｕｓｅｒ  Ｅｑｕｉｐｍｅｎｔ）とｅＮｏｄｅＢ（ｅＮＢ）などの基地局とを含むワイヤレス通信シナリオの一例を概略的に示す図である。
【図２】本開示の実施形態に係るワイヤレス通信装置のブロック図を概略的に示す図である。
【図３Ａ】いくつかのサブフレームおよびサブフレーム内の無線信号のリソースプールを概略的に示す図である。
【図３Ｂ】本開示の実施形態に係るワイヤレス通信装置の測定動作を説明するための一例を概略的に示す図である。
【図４】本開示の別の実施形態に係るワイヤレス通信装置の別の測定動作を説明するための一例を概略的に示す図である。
【図５】本開示の別の実施形態に係るワイヤレス通信装置の別の測定動作を説明するための一例を概略的に示す図である。
【図６】本開示の別の実施形態に係るワイヤレス通信装置の別の測定動作を説明するための一例を概略的に示す図である。
【図７Ａ】異なる輻輳状況に対する異なる輻輳制御動作を概略的に示す図である。
【図７Ｂ】異なる輻輳状況に対する異なる輻輳制御動作を概略的に示す図である。
【図７Ｃ】異なる輻輳状況に対する異なる輻輳制御動作を概略的に示す図である。
【図７Ｄ】異なる輻輳状況に対する異なる輻輳制御動作を概略的に示す図である。
【図８】本開示の実施形態に係るワイヤレス通信装置の通知動作を説明するための一例を概略的に示す図である。
【図９Ａ】本開示の実施形態に係るワイヤレス通信方法のフローチャートを概略的に示す図である。
【図９Ｂ】本開示の別の実施形態に係るワイヤレス通信方法のフローチャートを概略的に示す図である。
【図９Ｃ】本開示の別の実施形態に係るワイヤレス通信方法のフローチャートを概略的に示す図である。
【図１０】本開示の実施形態に係るワイヤレス通信システムのブロック図を概略的に示す図である。
【発明を実施するための形態】
【００１０】
次に、通信方法、装置、およびシステムに関して、図３〜図６を参照して、実施形態が記載される。本技術は、多くの異なる形態で、かつ多くの異なる順序で具現化されてもよく、本明細書に記載された実施形態に限定されると解釈されるべきではないことが理解されよう。むしろ、これらの実施形態は、本開示が完全かつ完璧であり、当業者に本技術を完全に伝えるように提供される。実際、本技術は、添付の特許請求の範囲によって規定される技術の範囲および趣旨内に含まれる、これらの実施形態の代替物、改変物、および等価物を包含するものである。さらに、本技術の以下の発明を実施するための形態では、本技術の完全な理解を提供するために、多くの具体的な詳細が記載される。しかしながら、そのような具体的な詳細なしに本技術が実践され得ることは、当業者には明らかであろう。
【００１１】
方法のステップおよび構成要素の構造の順序は、本明細書では、限定目的ではなく、例示目的のために提供される。前述の技術の詳細説明は、例示および説明の目的で提示されている。包括的であること、または開示された正確な形式に技術を限定することを意図するものではない。上記の教示に照らして、多くの修正形態および変形形態が可能である。記載された実施形態は、技術の原理およびその実際的な適用を最もよく説明し、それにより当業者が様々な実施形態において技術を最もよく利用するために選ばれ、様々な修正形態は考察される特定の用途に適している。技術の範囲は、本明細書に添付された特許請求の範囲によって規定されることが意図されている。
【００１２】
図１は、ユーザ機器（ＵＥ）とｅＮｏｄｅＢ（ｅＮＢ）などの基地局とを含むワイヤレス通信シナリオの一例を概略的に示す。
【００１３】
ワイヤレス通信シナリオでは、ワイヤレス通信ネットワークの２つのユーザ機器（ＵＥ）端末（たとえば、モバイル通信デバイス）が互いに通信する場合、それらのデータ経路は、通常、事業者ネットワークを経由する。ネットワークを通るデータ経路は、（ｅＮＢなどの）基地局および／またはゲートウェイを含んでもよい。デバイスが互いに近接している場合、それらのデータ経路は、ローカル基地局を介してローカルにルーティングされてもよい。ＵＥからｅＮＢへのデータ経路は、一般に、アップリンクチャネルまたはアップリンク（もしくは略してＵＬ）と呼ばれ、ｅＮＢからＵＥへのデータ経路は、一般に、ダウンリンクチャネルまたはダウンリンク（もしくは略してＤＬ）と呼ばれる。
【００１４】
互いに近接している２つのＵＥ端末が、ｅＮＢなどの基地局を経由することなく直接リンクまたは直接通信を確立することも可能である。電気通信システムは、２つ以上のＵＥ端末が互いに直接通信する、デバイス間（「Ｄ２Ｄ」：device-to-device）通信または車両間（「Ｖ２Ｖ」：vehicle-to-vehicle）通信を使用することができる。Ｄ２Ｄ通信またはＶ２Ｖ通信では、１つのＵＥ端末から１つまたは複数の他のＵＥ端末への音声および／またはデータのトラフィック（本明細書では「ユーザトラフィックまたはユーザデータ」と呼ばれる）は、電気通信システムの基地局または他のネットワーク制御デバイスを介して通信されなくてもよい。Ｄ２Ｄ通信またはＶ２Ｖ通信は、最近、「サイドリンク直接通信（sidelink direct communication）」または「サイドリンク（sidelink）」通信としても知られるようになっており、それに応じて、時々「ＳＬＤ」または「ＳＬ」と省略される。このように、Ｄ２ＤまたはＶ２Ｖ、サイドリンク直接、およびサイドリンクまたはサイドリンクチャネルは、本明細書では互換的に使用されるが、すべて同じ意味を有する。
【００１５】
ワイヤレス通信を実行するための無線リソースを割り当て管理するために、従来技術では、物理アップリンク制御チャネル（ＰＵＣＣＨ：Physical Uplink Control Channel）において、無線リソースの割り当ておよびリカバーするための解決策が提供されている。ＰＵＣＣＨにおけるスケジューリングリクエスト（ＳＲ：Scheduling Request）リソースの割当てを例にあげると、解決策は以下の通りである。すなわち、基地局の無線リソースマネージャがリソースプールを生成し、ＵＥがネットワークにアクセスする場合、無線リソースマネージャがリソースプールを探索し、未使用のリソースを見つけるとそれをＵＥに割り当て、リソースを使用中状態（in-use state）に設定する。ＵＥがリソースを解放すると、無線リソースマネージャがリソースを未使用状態（not-in-use state）に設定する。
【００１６】
しかしながら、リソースを割り当てるための上記の解決策は、リソースを割り当てるための上記の解決策において、使用中のリソースおよび未使用のリソースを混在して格納し、異なるリソースタイプを区別しないので、輻輳制御は全体としてすべてのリソースに対して実行され、したがって、より良いリソース割当ておよび輻輳制御のための改善された解決策が必要とされる。
【００１７】
図２は、本開示の実施形態に係るワイヤレス通信装置２００のブロック図を概略的に示す。
【００１８】
本開示の実施形態に係る第１のノードにおけるワイヤレス通信装置２００は、無線信号を送信および／または受信するように動作するトランシーバ２０１と、無線信号のチャネルリソースプールについての１つまたは複数のチャネルビジー率（ＣＢＲ：Channel Busy Ratio）を測定（measure）し、測定された１つまたは複数のチャネルビジー率に基づいてチャネルリソースプールに対して輻輳制御を実行するように動作する回路２０２とを含む。
【００１９】
本明細書で提案されるＣＢＲは、一般に、いくつのリソースが占有されているかを意味して、ワイヤレス通信における輻輳状況を反映し、ＵＥ側とｅＮＢ側の両方で観測することができる。ＣＢＲを測定することにより、ＵＥまたはｅＮＢは、ＣＢＲの程度に基づいて輻輳制御のための関連動作を取ることが可能である。したがって、ＣＢＲ測定は輻輳制御のための基礎である。
【００２０】
この実施形態は、すべてのＤ２ＤまたはＶ２Ｖのリソースプールを含む全帯域幅のＣＢＲを測定することができる。次いで、ＣＢＲ測定に基づいて関連動作を取ることができる。このように、輻輳状況を制御し、バランスを取ることができる。
【００２１】
さらに、洗練された動作を行うために、３ＧＰＰで規定されている送信モード１および送信モード２、または、スケジューリング割当て（ＳＡ：Scheduling assignment）およびデータの状況を区別し、ＳＡリソース（もしくは一般的に言えば制御チャネルリソース）が輻輳しているか、またはデータリソース（もしくは一般的に言えばデータチャネルリソース）が輻輳しているかを知るために、一実施形態では、回路２０２は、それぞれ無線信号の異なるタイプのチャネルリソースプールについてのチャネルビジー率を測定し、測定されたチャネルビジー率に基づいて、異なるタイプのチャネルリソースプールに対して輻輳制御を実行するように動作することができる。
【００２２】
このように、改善された輻輳制御結果を取得するために、本開示の実施形態に係る解決策では、回路２０２は、それぞれ無線信号の異なるタイプのチャネルリソースプールについてのＣＢＲを測定し、測定されたチャネルビジー率に基づいて、異なるタイプのチャネルリソースプールに対して輻輳制御を実行することができる。このように、チャネルリソースプールのタイプごとの各ＣＢＲは別々に測定することができ、チャネルリソースプールのタイプごとの輻輳状況を明確に知ることができ、このタイプのチャネルリソースプールに対して個別に独自のユニークな輻輳制御を実行することができる。したがって、そのような輻輳制御は、より正確かつ効率的であり得る。
【００２３】
この場合、第１に、帯域幅全体についての平均的な輻輳が異なるタイプのリソースプールに関する詳細を通知できない場合、特定のリソースプールの輻輳を別々に改善することができる。そして第２に、リソースプールのタイプごとに輻輳状況を観測することができ、リソースプールのタイプごとに関連動作を取ることができる。第３に、毎回すべてのリソースプールを測定するための電力を節約することができる。
【００２４】
一実施形態では、ＣＢＲは、リソースの総数に対するリソースの占有数の比を計算することによって測定することができる。リソースの占有数は、しきい値より大きい電力を有する無線信号の計算単位の数を示し、リソースの総数は、無線信号の計算単位の総数を示す。
【００２５】
限定ではないが、一例として、ＣＢＲは、以下の式（１）によって測定することができる。
【００２６】
ＣＢＲ＝占有数／総数…式（１）
【００２７】
占有数は、上述されたように、しきい値より大きい電力を有する無線信号の計算単位の数を示し、総数は、上述されたように、無線信号の計算単位の総数を示す。
【００２８】
一実施形態では、無線信号の計算単位は、１つもしくは複数の物理リソースブロック（ＰＲＢ）、または１つもしくは複数のリソースブロックグループ（ＲＢＧ）、または電力を計算するための他の単位を含んでもよく、電力は、無線信号電力強度、または電力スペクトル密度、または電力度もしくは使用度を評価するための他のものを含んでもよい。
【００２９】
一実施形態では、無線信号の異なるタイプのチャネルリソースプールは、制御チャネルリソースプールおよびデータチャネルリソースプールを含んでもよく、回路は、制御チャネルリソースプールについての第１のチャネルビジー率を測定し、データチャネルリソースプールについての第２のチャネルビジー率を測定するように動作することができる。
【００３０】
図３Ａは、いくつかのサブフレームおよびサブフレーム内の無線信号のリソースプールを概略的に示す。
【００３１】
リソースプールの概念は、３ＧＰＰ仕様で定義され、同じタイプのチャネルを送信する時間／周波数リソースを含む。現在、３ＧＰＰリリース１２／１３仕様では、ＳＡデータリソースプールおよびデータリソースプールが定義されている。用途をＶ２Ｖに拡張するために、データリソースプールおよびＳＡリソースプールは、Ｖ２Ｖの実装形態でも定義することができる。そして、３ＧＰＰ  ＲＡＮ１におけるＶ２Ｖのアグリーメント（agreement）に基づいて、ＳＡおよびデータは、同じサブフレーム内で送信され、図３Ａに示されたように、ＳＡリソースプールおよびデータリソースプールも同じサブフレーム内に構成することができる。送信モード１および送信モード２におけるＵＥは、リソースの同じ用途を取る。
【００３２】
一実施形態では、制御チャネルリソースプールは、（制御無線シグナリングを搬送する）制御チャネルを送信または受信するために使用され、ＳＡまたはサイドリンク制御チャネル（ＰＳＣＣＨ）を送信するために使用され得るリソースを含むリソースプールであってもよい。そして、データチャネルリソースプールは、ユーザトラフィックまたはユーザデータ（またはユーザ負荷）を送信または受信するために使用されるリソースを含むリソースプールであってもよく、３ＧＰＰ物理プロトコルの観点から物理サイドリンク共有チャネル（ＰＳＳＣＨ：Physical Sidelink Shared Channel）として例示することもできる。
【００３３】
図３Ｂは、本開示の一実施形態に係るワイヤレス通信装置の測定動作を説明するための一例を概略的に示す。
【００３４】
図３Ｂに示されたように、無線信号の異なるタイプのチャネルリソースプールは、（図面ではＳＡと示された）ＳＡチャネルリソースプールおよび（図面ではデータと示された）データチャネルリソースプールを含んでもよい。図２に示された回路２０２は、それぞれ別々に、ＳＡチャネルリソースプールについての第１のチャネルビジー率（ＣＢＲ１）を測定し、データチャネルリソースプールについての第２のチャネルビジー率（ＣＢＲ２）を測定するように動作することができる。
【００３５】
このように、チャネルリソースプールのタイプごとの各ＣＢＲを別々に測定することができ、このタイプのチャネルリソースプールに対して、個別に特有のユニークな輻輳制御を実行することができる。したがって、そのような輻輳制御は、より正確かつ効率的であり得る。
【００３６】
一実施形態では、第１のノードは、異なる送信モードのうちの１つで動作していてもよく、回路は、異なる送信モードに対して、それぞれ無線信号の異なるタイプのチャネルリソースプールについてのチャネルビジー率を測定するように動作することができる。
【００３７】
一実施形態では、異なる送信モードは、第１の送信モード（たとえば、送信が基地局のスケジューリングに基づく、３ＧＰＰで定義されたモード１）、および第２の送信モード（たとえば、ユーザ機器の自律的なリソース割り当てモードである、３ＧＰＰで定義されたモード２）を含んでもよい。ここでは、２つの送信モードが例示されているが、送信モードの数は２つに限定されず、他の数であってもよい。
【００３８】
この場合、図４は、本開示の別の実施形態に係るワイヤレス通信装置の別の測定動作を説明するための一例を概略的に示す。
【００３９】
図４に示されたように、回路は、異なる送信モードに対して、それぞれ無線信号の異なるタイプのチャネルリソースプールについてのＣＢＲを測定する、たとえば、モード１のリソース内のＳＡリソースプールについてのＣＢＲ１を測定し、モード１のリソース内のデータリソースプールについてのＣＢＲ２を測定し、モード２のリソース内のＳＡリソースプールについてのＣＢＲ３を測定し、モード２のリソース内のデータリソースプールについてのＣＢＲ４を測定するように動作することができる。
【００４０】
このように、異なる送信モードでチャネルリソースプールのタイプごとの各ＣＢＲを別々に測定することができ、この送信モードでこのタイプのチャネルリソースプールに対して個別に特有のユニークな輻輳制御を実行することができる。したがって、そのような輻輳制御は、より正確かつ効率的であり得る。
【００４１】
図５は、本開示の別の実施形態に係るワイヤレス通信装置の別の測定動作を説明するための一例を概略的に示す。
【００４２】
この実施形態では、異なる送信モードは、第１の送信モード（たとえば、送信が基地局のスケジューリングに基づく３ＧＰＰで定義されたモード１）、および第２の送信モード（たとえば、ユーザ機器の自律的なリソース割り当てモードである、３ＧＰＰで定義されたモード２）を含むと仮定する。
【００４３】
第１のノードが第１の送信モード、たとえばモード１で動作している場合、回路２０２は、第１の送信モード向けの制御チャネルリソースプールについての第１のチャネルビジー率ＣＢＲ１を測定し、第１の送信モード、モード１向けのデータチャネルリソースプールについての第２のチャネルビジー率ＣＢＲ２を測定するように動作することができる。
【００４４】
このように、モード１におけるＵＥは、モード２において制御チャネルリソースプールおよびデータチャネルリソースプールリソースについてのＣＢＲを測定せずに、モード１において制御チャネルリソースプールについてのＣＢＲおよびデータチャネルリソースプールリソースについてのＣＢＲを含むＣＢＲを測定するだけである。これにより、正確なＣＢＲ測定および輻輳制御を維持しながら消費電力を節約し効率を高める。
【００４５】
一方、第１のノードが第２の送信モード、たとえばモード２で動作している場合、回路２０２は、第２の送信モード向けの制御チャネルリソースプールについて第３のチャネルビジー率ＣＢＲ３を測定し、第２の送信モード、モード２向けのデータチャネルリソースプールについて第４のチャネルビジー率ＣＢＲ４を測定するように動作することができる。
【００４６】
このように、モード２におけるＵＥは、モード１において制御チャネルリソースプールおよびデータチャネルリソースプールリソースについてのＣＢＲを測定せずに、モード２において制御チャネルリソースプールについてのＣＢＲおよびデータチャネルリソースプールリソースについてのＣＢＲを含むＣＢＲを測定するだけである。これにより、正確なＣＢＲ測定および輻輳制御を維持しながら消費電力を節約し効率を高める。
【００４７】
図６は、本開示の別の実施形態に係るワイヤレス通信装置の別の測定動作を説明するための一例を概略的に示す。
【００４８】
この実施形態では、無線信号が周波数領域内の複数のキャリアの無線信号である場合、回路２０２は、キャリアごとに異なるタイプのチャネルリソースプールについてのチャネルビジー率を測定するように動作することができる。
【００４９】
図６に示されたように、無線信号は、キャリアコンポーネント１（ＣＣ１：Carrier Component 1）、キャリアコンポーネント２（ＣＣ２）、およびキャリアコンポーネント３（ＣＣ３）から形成されると仮定する。回路２０２は、それぞれ、キャリアＣＣ１に対して制御チャネルリソースプールについてのＣＢＲおよびデータチャネルリソースプールリソースについてのＣＢＲを含むＣＢＲ１を測定し、キャリアＣＣ２に対して制御チャネルリソースプールについてのＣＢＲおよびデータチャネルリソースプールリソースについてのＣＢＲを含むＣＢＲ２を測定し、キャリアＣＣ３に対して制御チャネルリソースプールについてのＣＢＲおよびデータチャネルリソースプールリソースについてのＣＢＲを含むＣＢＲ３を測定するように動作することができる。
【００５０】
ＣＢＲがＣＣごとに測定される上記の方法から、より正確なＣＢＲ測定および輻輳制御を得ることができ、電力消費を節約することもできる。
【００５１】
ＣＢＲが測定された後、測定されたＣＢＲは、輻輳状況を判定するために所定のしきい値と比較される。所定のしきい値は、指定されるか、事前構成（preconfigured）されるか、またはＲＲＣ構成（RRC configured）される可能性がある。
【００５２】
チャネルビジー率のうちの１つまたは複数が所定のしきい値を超える場合、回路２０２は、チャネルビジー率のうちの１つまたは複数に対応する異なるタイプのチャネルリソースプールのうちの１つまたは複数の中の非占有リソース内にない無線信号を送信するように、トランシーバ２０１に命令するように動作することができる。ここでは、チャネルビジー率のうちの１つまたは複数に対応する異なるタイプのチャネルリソースプールのうちの１つまたは複数は、チャネルビジー率が所定のしきい値を超えるチャネルリソースプールを示し、輻輳チャネルリソースプールとも呼ばれる。
【００５３】
非占有リソース内にない無線信号を送信するこのような動作は、送信される無線信号の優先度よりも低い優先度を有するデータについて、占有されたリソース内の無線信号を送信すること、占有されたリソースを占有するデータを廃棄することによって占有されたリソース内の無線信号を送信すること、無線信号用の無線パラメータを調整することによって無線信号を送信すること、および無線信号を送信するために所定の時間遅延すること、ならびに輻輳したリソースプール内の占有されたリソースを占有しないための他の動作のうちの１つまたは複数を含む。一実施形態では、無線信号用の無線パラメータは、トランスポートブロックの送信電力および送信回数または他のパラメータのうちの１つまたは複数を含んでもよい。この場合、無線信号の優先度は、指定されるか、またはＲＲＣ構成される可能性がある。
【００５４】
チャネルビジー率のうちの１つまたは複数が所定のしきい値を超えない場合、回路２０２は、チャネルビジー率のうちの１つまたは複数に対応する異なるタイプのチャネルリソースプールのうちの１つまたは複数の中の非占有リソース内の無線信号を送信するように、トランシーバに命令するように動作することができる。
【００５５】
具体的な例、３ＧＰＰで定義されているモード１およびモード２の場合、および第１のノードがＵＥである場合、ＵＥがモード１にあるときｅＮＢがスケジュールおよび輻輳制御を担当しているので、ＵＥ側でモード１向けのＣＢＲを測定し、その測定値がｅＮＢに通知された後、ｅＮＢは、非占有リソース内にない無線信号を送信、または、非占有リソース内の無線信号を送信（するようにトランシーバに命令）するように、（ＵＥにある回路２０２を含む）ＵＥに命令するべきであることに留意されたい。一方、ＵＥがモード２にあるときＵＥ自身がスケジュールおよび輻輳制御を担当することができるので、モード２向けのＣＢＲを測定した後、（ＵＥにある回路２０２を含む）ＵＥは、非占有リソース内にない無線信号を送信するか、または非占有リソース内の無線信号を送信するように、トランシーバに命令することができる。
【００５６】
しかしながら、どちらがスケジュールおよび輻輳制御を担当し、どちらが命令を送信するかは限定されず、いくつかの実施形態では、異なる送信モードが存在し、異なる送信モード向けのＣＢＲがそれぞれ測定される限り、誰がスケジュールおよび輻輳制御を担当しても、電力消費の節約、正確な輻輳制御などを含む効果を実現するために、第１のノードに対して具体的な輻輳制御を実行することができる。
【００５７】
図７Ａ〜図７Ｄは、異なる輻輳状況に対する異なる輻輳制御動作を概略的に示す。
【００５８】
異なる輻輳状況は、制御チャネルリソースプールの輻輳状況とデータチャネルリソースプールの輻輳状況の両方に応じて分割することができる。
【００５９】
図７Ａ〜図７Ｄに示されたように、「輻輳している」という用語は、チャネルビジー率が所定のしきい値を超える（すなわち、それ以上である）ことを示し、「輻輳していない」という用語は、チャネルビジー率が所定のしきい値を超えない（すなわち、それ未満である）ことを示す。
【００６０】
図７Ａでは、ＣＢＲ測定に基づいて、ＳＡリソースプールは輻輳しておらず、データリソースプールは輻輳している。リソースプールのタイプごとに各ＣＢＲを区別して測定することなく、帯域幅全体に基づいてＣＢＲが測定される上述された単純明快な解決策に基づくと、ＣＢＲレベルは、おそらく、低いので、データリソースプールの中の非占有リソース内でデータが送信される。しかしながら、そのような挙動により、特に、データチャネルリソースプールがすでに輻輳している場合、データ送信についての輻輳状況がより重くなる。
【００６１】
ＳＡおよびデータについてのＣＢＲが別々に測定されるという、本開示の実施形態の提案に基づくと、全帯域幅についての輻輳状況全体がまだ輻輳していない場合でも、ＳＡリソースプールが輻輳しておらず、データリソースプールが輻輳していることを明確に知ることができる。そのため、以下により、ＳＡリソースプールおよびデータリソースプールに対して異なる動作を取ることができる。
１．データチャネルリソースプールに対して、データのＣＢＲが高く、データチャネルリソースプールが輻輳しているとき、データチャネルリソースプールの中の占有されたリソース内のデータ送信のために優先度の低いパケットを先取り（preempting）する。さらに非占有リソース内でパケットを送信する必要はない。
２．ＳＡチャネルリソースプールに対して、ＳＡのＣＢＲが低く、ＳＡチャネルリソースプールが輻輳していないとき、ＳＡチャネルリソースプールの中の非占有リソース内でデータを送信することができる。
【００６２】
そうすることにより、ＳＡリソースプールの稼働率が向上し、データリソースプールの輻輳状況が悪化しない。各リソースプールの稼働率は、リソースプール全体の各々に対する輻輳制御を改善するために最適化することができる。
【００６３】
この例では、先取り（preemption）は、送信される無線信号の優先度よりも低い優先度を有するデータのために占有されたリソース内で無線信号を送信することを意味し、輻輳制御について言及される。たとえば、占有されたリソースを占有するデータを廃棄することによって占有されたリソース内で無線信号を送信すること、無線信号用の無線パラメータを調整することによって無線信号を送信すること、および無線信号を送信するために所定の時間遅延すること、ならびに他を含む他の可能性も考えられる。
【００６４】
図７Ｂでは、ＣＢＲ測定に基づいて、ＳＡリソースプールは輻輳しており、データリソースプールは輻輳していない。
【００６５】
ＳＡおよびデータについてのＣＢＲが別々に測定されるという、本開示の実施形態の提案に基づくと、全帯域幅についての輻輳状況全体がまだ輻輳していない場合でも、ＳＡリソースプールが輻輳しており、データリソースプールが輻輳していないことを明確に知ることができる。そのため、以下により、ＳＡリソースプールおよびデータリソースプールに対して異なる動作を取ることができる。
１．ＳＡチャネルリソースプールに対して、ＳＡのＣＢＲが高く、ＳＡチャネルリソースプールが輻輳しているとき、ＳＡチャネルリソースプールの中の占有されたリソース内のデータ送信のために優先度の低いパケットを先取りする。さらに非占有リソース内でパケットを送信する必要はない。
２．データチャネルリソースプールに対して、データのＣＢＲが低く、データチャネルリソースプールが輻輳していないとき、データチャネルリソースプールの中の非占有リソース内でデータを送信することができる。
【００６６】
そうすることにより、データリソースプールの稼働率が向上し、ＳＡリソースプールの輻輳状況が悪化しない。各リソースプールの稼働率は、リソースプール全体の各々に対する輻輳制御を改善するために最適化することができる。
【００６７】
図７Ｃでは、ＣＢＲ測定に基づいて、ＳＡリソースプールは輻輳しており、データリソースプールも輻輳している。
【００６８】
ＳＡおよびデータについてのＣＢＲが別々に測定されるという、本開示の実施形態の提案に基づくと、ＳＡリソースプールが輻輳しており、データリソースプールも輻輳していることを明確に知ることができる。そのため、以下により、ＳＡリソースプールおよびデータリソースプールに対して、動作を取ることができる。
【００６９】
ＳＡチャネルリソースプールとデータチャネルリソースプールの両方に対して、ＳＡおよびデータのＣＢＲが両方とも高いとき、ＳＡチャネルリソースプールとデータチャネルリソースプールの両方の中の占有されたリソース内のデータ送信のために優先度の低いパケットを先取りする。
【００７０】
そうすることにより、ＳＡリソースプールおよびデータリソースプールの輻輳状況は悪化しない。
【００７１】
図７Ｄでは、ＣＢＲ測定に基づいて、ＳＡリソースプールは輻輳しておらず、データリソースプールは輻輳していない。
【００７２】
ＳＡおよびデータについてのＣＢＲが別々に測定されるという、本開示の実施形態の提案に基づくと、ＳＡリソースプールが輻輳しておらず、データリソースプールが輻輳していないことを明確に知ることができる。そのため、以下により、ＳＡリソースプールおよびデータリソースプールに対して、動作を取ることができる。
【００７３】
ＳＡチャネルリソースプールとデータチャネルリソースプールの両方に対して、ＳＡおよびデータのＣＢＲが両方とも低いとき、ＳＡチャネルリソースプールとデータチャネルリソースプールの両方の中の非占有リソース内でデータを送信することができる。
【００７４】
そうすることにより、データリソースプールとＳＡリソースプールの両方の稼働率が向上する。
【００７５】
図８は、本開示の一実施形態に係るワイヤレス通信装置の通知動作を説明するための一例を概略的に示す。
【００７６】
ＣＢＲはｅＮＢ側で測定することができ、ＵＥはそれを通知しない。しかし、ｅＮＢ側はＵＥ側での干渉状況を知ることができないので、ｅＮＢ側で観測されたＣＢＲ値は控えめ過ぎる可能性がある。なぜなら、大きな距離のせいで、互いに干渉がない場合または小さい干渉しかない場合、いくつかの占有されているリソースは他のＵＥにまだ使用される可能性があるからである。
【００７７】
そのため、この実施形態で提案されたように、第１のノードにあるトランシーバ２０１は、測定されたチャネルビジー率を第２のノードに通知するように動作することができ、第１のノードはユーザ機器（ＵＥ）であってもよく、第２のノードは基地局（ｅＮＢ）であってもよい。すなわち、ＵＥ側はＣＢＲを測定し、それらをｅＮＢ側に通知する。
【００７８】
図８に示されたように、ｅＮＢの観測に基づいて、１つのリソースがＵＥ１に割り当てられ、別のリソースがＵＥ２に割り当てられる場合、ＣＢＲは５０％である。しかし、ＵＥ側では、ＵＥ１の送信はＵＥ２と干渉しないので、関連するリソース（図示された左上のリソース）は、ＵＥ２による送信にまだ使用される可能性がある。したがって、ＵＥ２によって観測されるＣＢＲは２５％であり、これはｅＮＢの観測よりも低い。この場合、ＵＥ側での観測は、より正確である。
【００７９】
ＵＥがＣＢＲをｅＮＢに通知する利点は、ＵＥがＣＢＲをより正確に観察できることなので、チャネルソースプールの各タイプに対する輻輳制御は、より正確かつ効率的であり得る。
【００８０】
一実施形態では、ＵＥ側にあるトランシーバ２０１は、以下の条件：所定の期間が経過する（すなわち、周期的に）、測定されたチャネルビジー率のうちの少なくとも１つが所定のしきい値を超える、または、通知が基地局、すなわちｅＮＢによってトリガされる、のうちの１つに応答して、測定されたチャネルビジー率ＣＢＲをｅＮＢに通知するように動作することができる。
【００８１】
次いで、ｅＮＢ側で詳細な輻輳制御を行うことができるが、これに限定されない。
１．ｅＮＢは、ＳＡおよびデータの通知されたＣＢＲのそれぞれに基づいて、ＳＡリソースプールまたはデータリソースプールを調整することができる。
２．ｅＮＢは、スケジューリング（たとえば、特定のＵＥの特定の優先度の低いパケットをスケジューリングしないこと）によって輻輳状況を調整することができる。
【００８２】
ｅＮＢが詳細な輻輳制御を実行する利点は、ｅＮＢの実装形態に完全に依存する輻輳制御と比較して、ｅＮＢがＵＥ全体の輻輳状況に関してよく知ることができることである。スペクトル効率を改善することができる。
【００８３】
このように、本開示の実施形態では、チャネルリソースプールのタイプごとの各ＣＢＲを別々に測定することができ、チャネルリソースプールのタイプごとの輻輳状況を明確に知ることができ、このタイプのチャネルリソースプールに対して個別に独自のユニークな輻輳制御を実行することができる。したがって、そのような輻輳制御は、より正確かつ効率的であり得る。
【００８４】
別の実施形態では、本開示の実施形態に係る第１のノードにおけるワイヤレス通信装置２００は、無線信号を送信および／または受信するように動作するトランシーバ２０１と、無線信号のチャネルリソースプールについての１つまたは複数のチャネルビジー率（ＣＢＲ）を測定し、測定された１つまたは複数のチャネルビジー率に基づいてチャネルリソースプールに対して輻輳制御を実行するように動作する回路２０２とを含む。そして、第１のノードは、異なる送信モードのうちの１つで動作していてもよく、回路２０２は、異なる送信モードに対して、無線信号のチャネルリソースプールについてのチャネルビジー率を測定するように動作することができる。
【００８５】
この実施形態では、送信モードごとの各ＣＢＲを別々に測定することができ、送信モードごとの輻輳状況を明確に知ることができ、各送信モードにおけるＵＥに対して個別に独自のユニークな輻輳制御を実行することができる。したがって、そのような輻輳制御は、より正確かつ効率的であり得る。
【００８６】
別の実施形態では、本開示の実施形態に係る第１のノードにおけるワイヤレス通信装置２００は、無線信号を送信および／または受信するように動作するトランシーバ２０１と、無線信号のチャネルリソースプールについての１つまたは複数のチャネルビジー率（ＣＢＲ）を測定し、測定された１つまたは複数のチャネルビジー率に基づいてチャネルリソースプールに対して輻輳制御を実行するように動作する回路２０２とを含む。そして、無線信号が複数のキャリアの無線信号である場合、回路２０２は、キャリアごとにチャネルリソースプールについてのチャネルビジー率を測定するように動作することができる。
【００８７】
この実施形態では、キャリアごとの各ＣＢＲを別々に測定することができ、キャリアごとの輻輳状況を明確に知ることができ、各キャリアに対して個別に独自のユニークな輻輳制御を実行することができる。したがって、そのような輻輳制御は、より正確かつ効率的であり得る。
【００８８】
図９Ａは、本開示の一実施形態に係るワイヤレス通信方法９００のフローチャートを概略的に示す図である。
【００８９】
方法９００は、第１のノードにおいて、それぞれ無線信号の異なるタイプのチャネルリソースプールについてのチャネルビジー率を測定するステップＳ９０１と、測定されたチャネルビジー率に基づいて異なるタイプのチャネルリソースプールに対して輻輳制御を実行するステップＳ９０２とを備える。
【００９０】
このように、チャネルリソースプールのタイプごとの各ＣＢＲは別々に測定することができ、チャネルリソースプールのタイプごとの輻輳状況を明確に知ることができ、このタイプのチャネルリソースプールに対して個別に独自のユニークな輻輳制御を実行することができる。したがって、そのような輻輳制御は、より正確かつ効率的であり得る。
【００９１】
一実施形態では、無線信号の異なるタイプのチャネルリソースプールは、制御チャネルリソースプールおよびデータチャネルリソースプールを含んでもよく、ステップＳ９０１は、制御チャネルリソースプールについての第１のチャネルビジー率を測定し、データチャネルリソースプールについての第２のチャネルビジー率を測定するステップを含んでもよい。
【００９２】
一実施形態では、第１のノードは、異なる送信モードのうちの１つで動作していてもよく、ステップＳ９０１は、異なる送信モードに対して、それぞれ無線信号の異なるタイプのチャネルリソースプールについてのチャネルビジー率を測定するステップを含んでもよい。
【００９３】
一実施形態では、異なる送信モードは、送信が基地局のスケジューリングに基づく第１の送信モード、および、ユーザ機器の自律的なリソース割当てモードである第２の送信モードを含んでもよい。第１のノードが第１の送信モードで動作している場合、ステップＳ９０１は、第１の送信モード向けの制御チャネルリソースプールについての第１のチャネルビジー率を測定し、第１の送信モード向けのデータチャネルリソースプールについての第２のチャネルビジー率を測定するステップを含んでもよい。
【００９４】
一実施形態では、異なる送信モードは、第１の送信モードおよび第２の送信モードを含んでもよい。第１のノードが第２の送信モードで動作している場合、ステップＳ９０１は、第２の送信モード向けの制御チャネルリソースプールについての第１のチャネルビジー率を測定し、第２の送信モード向けのデータチャネルリソースプールについての第２のチャネルビジー率を測定するステップを含んでもよい。
【００９５】
一実施形態では、無線信号が複数のキャリアの無線信号である場合、ステップＳ９０１は、キャリアごとに異なるタイプのチャネルリソースプールについてのチャネルビジー率を測定するステップを含んでもよい。
【００９６】
一実施形態では、チャネルビジー率のうちの１つまたは複数が所定のしきい値を超える場合、ステップＳ９０２は、チャネルビジー率のうちの１つまたは複数に対応する異なるタイプのチャネルリソースプールのうちの１つまたは複数の中の非占有リソース内にない無線信号を送信するステップを含んでもよい。
【００９７】
一実施形態では、チャネルビジー率のうちの１つまたは複数が所定のしきい値を超える場合、ステップＳ９０２は、送信される無線信号の優先度よりも低い優先度を有するデータについて、占有されたリソース内の無線信号を送信するステップ、占有されたリソースを占有するデータを廃棄することによって占有されたリソース内の無線信号を送信するステップ、無線信号用の無線パラメータを調整することによって無線信号を送信するステップ、および無線信号を送信するために所定の時間遅延するステップのうちの１つまたは複数を含んでもよい。
【００９８】
一実施形態では、無線信号用の無線パラメータは、トランスポートブロックの送信電力および送信回数のうちの１つまたは複数を含んでもよい。
【００９９】
一実施形態では、チャネルビジー率のうちの１つまたは複数が所定のしきい値を超えない場合、ステップＳ９０２は、チャネルビジー率のうちの１つまたは複数に対応する異なるタイプのチャネルリソースプールのうちの１つまたは複数の中の非占有リソース内の無線信号を送信するステップを含んでもよい。
【０１００】
一実施形態では、方法９００は、測定されたチャネルビジー率を第２のノードに通知するステップをさらに含んでもよく、第１のノードはユーザ機器であり、第２のノードは基地局である。
【０１０１】
一実施形態では、通知するステップは、以下の条件：所定の期間が経過する、測定されたチャネルビジー率のうちの少なくとも１つが所定のしきい値を超える、または通知が基地局によってトリガされる、のうちの１つに応答して、測定されたチャネルビジー率を第２のノードに通知するステップを含んでもよい。
【０１０２】
一実施形態では、ステップ９０２は、リソースの総数に対するリソースの占有数の比を計算することによってチャネルビジー率（ＣＢＲ）を測定するステップを含んでもよく、ソースの占有数は、しきい値より大きい電力を有する無線信号の計算単位の数を示し、リソースの総数は、無線信号の計算単位の総数を示す。
【０１０３】
一実施形態では、無線信号の計算単位は、１つもしくは複数の物理リソースブロック、または１つもしくは複数のリソースブロックグループを含んでもよく、電力は、無線信号電力強度または電力スペクトル密度を含んでもよい。
【０１０４】
一実施形態では、制御チャネルリソースプールは、物理サイドリンク制御チャネル（ＰＳＣＣＨ）リソースプールを含んでもよく、データチャネルリソースプールは、物理サイドリンク共有チャネル（ＰＳＳＣＨ）リソースプールを含んでもよい。
【０１０５】
このように、本開示の実施形態では、チャネルリソースプールのタイプごとの各ＣＢＲを別々に測定することができ、チャネルリソースプールのタイプごとの輻輳状況を明確に知ることができ、このタイプのチャネルリソースプールに対して個別に独自のユニークな輻輳制御を実行することができる。したがって、そのような輻輳制御は、より正確かつ効率的であり得る。
【０１０６】
図９Ｂは、本開示の別の実施形態に係るワイヤレス通信方法９００’のフローチャートを概略的に示す。
【０１０７】
方法９００’は、第１のノードにおいて、異なる送信モードに対して無線信号のチャネルリソースプールについての１つまたは複数のチャネルビジー率を測定するステップＳ９０１’と、測定されたチャネルビジー率に基づいて異なるタイプのチャネルリソースプールに対して輻輳制御を実行するステップＳ９０２’とを備える。
【０１０８】
この実施形態では、送信モードごとの各ＣＢＲを別々に測定することができ、送信モードごとの輻輳状況を明確に知ることができ、各送信モードにおけるＵＥに対して個別に独自のユニークな輻輳制御を実行することができる。したがって、そのような輻輳制御は、より正確かつ効率的であり得る。
【０１０９】
図９Ｃは、本開示の別の実施形態に係るワイヤレス通信方法９００’’のフローチャートを概略的に示す。
【０１１０】
方法９００’’は、第１のノードにおいて、異なる送信モードに対して無線信号のチャネルリソースプールについての１つまたは複数のチャネルビジー率を測定するステップＳ９０１’’と、測定されたチャネルビジー率に基づいて異なるタイプのチャネルリソースプールに対して輻輳制御を実行するステップＳ９０２’’とを備える。
【０１１１】
この実施形態では、キャリアごとの各ＣＢＲを別々に測定することができ、キャリアごとの輻輳状況を明確に知ることができ、各キャリアに対して個別に独自のユニークな輻輳制御を実行することができる。したがって、そのような輻輳制御は、より正確かつ効率的であり得る。
【０１１２】
図１０は、本開示の一実施形態に係るワイヤレス通信システム１０００のブロック図を概略的に示す図である。
【０１１３】
システム１０００は、第１のノードにおいて、プロセッサＨ１と、プロセッサによって実行されると、それぞれ無線信号の異なるタイプのチャネルリソースプールについてのチャネルビジー率を測定するステップＳ９０１と、測定されたチャネルビジー率に基づいて異なるタイプのチャネルリソースプールに対して輻輳制御を実行するステップＳ９０２とを含む方法９００を実施するために、プロセッサと結合されたメモリＨ２とを備える。
【０１１４】
一実施形態では、無線信号の異なるタイプのチャネルリソースプールは、制御チャネルリソースプールおよびデータチャネルリソースプールを含んでもよく、ステップＳ９０１は、制御チャネルリソースプールについての第１のチャネルビジー率を測定し、データチャネルリソースプールについての第２のチャネルビジー率を測定するステップを含んでもよい。
【０１１５】
一実施形態では、第１のノードは、異なる送信モードのうちの１つで動作していてもよく、ステップＳ９０１は、異なる送信モードに対して、それぞれ無線信号の異なるタイプのチャネルリソースプールについてのチャネルビジー率を測定するステップを含んでもよい。
【０１１６】
一実施形態では、異なる送信モードは、送信が基地局のスケジューリングに基づく第１の送信モード、および、ユーザ機器の自律的なリソース割当てモードである第２の送信モードを含んでもよい。第１のノードが第１の送信モードで動作している場合、ステップＳ９０１は、第１の送信モード向けの制御チャネルリソースプールについての第１のチャネルビジー率を測定し、第１の送信モード向けのデータチャネルリソースプールについての第２のチャネルビジー率を測定するステップを含んでもよい。
【０１１７】
一実施形態では、異なる送信モードは、第１の送信モードおよび第２の送信モードを含んでもよい。第１のノードが第２の送信モードで動作している場合、ステップＳ９０１は、第２の送信モード向けの制御チャネルリソースプールについての第１のチャネルビジー率を測定し、第２の送信モード向けのデータチャネルリソースプールについての第２のチャネルビジー率を測定するステップを含んでもよい。
【０１１８】
一実施形態では、無線信号が複数のキャリアの無線信号である場合、ステップＳ９０１は、キャリアごとに異なるタイプのチャネルリソースプールについてのチャネルビジー率を測定するステップを含んでもよい。
【０１１９】
一実施形態では、チャネルビジー率のうちの１つまたは複数が所定のしきい値を超える場合、ステップＳ９０２は、チャネルビジー率のうちの１つまたは複数に対応する異なるタイプのチャネルリソースプールのうちの１つまたは複数の中の非占有リソース内にない無線信号を送信するステップを含んでもよい。
【０１２０】
一実施形態では、チャネルビジー率のうちの１つまたは複数が所定のしきい値を超える場合、ステップＳ９０２は、送信される無線信号の優先度よりも低い優先度を有するデータについて、占有されたリソース内の無線信号を送信するステップ、占有されたリソースを占有するデータを廃棄することによって占有されたリソース内の無線信号を送信するステップ、無線信号用の無線パラメータを調整することによって無線信号を送信するステップ、および無線信号を送信するために所定の時間遅延するステップのうちの１つまたは複数を含んでもよい。
【０１２１】
一実施形態では、無線信号用の無線パラメータは、トランスポートブロックの送信電力および送信回数のうちの１つまたは複数を含んでもよい。
【０１２２】
一実施形態では、チャネルビジー率のうちの１つまたは複数が所定のしきい値を超えない場合、ステップＳ９０２は、チャネルビジー率のうちの１つまたは複数に対応する異なるタイプのチャネルリソースプールのうちの１つまたは複数の中の非占有リソース内の無線信号を送信するステップを含んでもよい。
【０１２３】
一実施形態では、方法９００は、測定されたチャネルビジー率を第２のノードに通知するステップをさらに含んでもよく、第１のノードはユーザ機器であり、第２のノードは基地局である。
【０１２４】
一実施形態では、通知するステップは、以下の条件：所定の期間が経過する、測定されたチャネルビジー率のうちの少なくとも１つが所定のしきい値を超える、または通知が基地局によってトリガされる、のうちの１つに応答して、測定されたチャネルビジー率を第２のノードに通知するステップを含んでもよい。
【０１２５】
一実施形態では、ステップ９０２は、リソースの総数に対するリソースの占有数の比を計算することによってチャネルビジー率（ＣＢＲ）を測定するステップを含んでもよく、ソースの占有数は、しきい値より大きい電力を有する無線信号の計算単位の数を示し、リソースの総数は、無線信号の計算単位の総数を示す。
【０１２６】
一実施形態では、無線信号の計算単位は、１つもしくは複数の物理リソースブロック、または１つもしくは複数のリソースブロックグループを含んでもよく、電力は、無線信号電力強度または電力スペクトル密度を含んでもよい。
【０１２７】
一実施形態では、制御チャネルリソースプールは、物理サイドリンク制御チャネル（ＰＳＣＣＨ）リソースプールを含んでもよく、データチャネルリソースプールは、物理サイドリンク共有チャネル（ＰＳＳＣＨ）リソースプールを含んでもよい。
【０１２８】
このように、本開示の実施形態では、チャネルリソースプールのタイプごとの各ＣＢＲを別々に測定することができ、チャネルリソースプールのタイプごとの輻輳状況を明確に知ることができ、このタイプのチャネルリソースプールに対して個別に独自のユニークな輻輳制御を実行することができる。したがって、そのような輻輳制御は、より正確かつ効率的であり得る。
【０１２９】
加えて、本開示の実施形態は、少なくとも以下の主題を提供することができる。
【０１３０】
（１）．第１のノードにおいて、
無線信号を送信および／または受信するように動作するトランシーバと、
無線信号のチャネルリソースプールについての１つまたは複数のチャネルビジー率を測定し、測定された１つまたは複数のチャネルビジー率に基づいてチャネルリソースプールに対して輻輳制御を実行するように動作する回路と
を備える、装置。
【０１３１】
（２）．回路が、それぞれ無線信号の異なるタイプのチャネルリソースプールについてのチャネルビジー率を測定し、測定されたチャネルビジー率に基づいて異なるタイプのチャネルリソースプールに対して輻輳制御を実行するように動作する、
（１）に記載の装置。
【０１３２】
（３）．無線信号の異なるタイプのチャネルリソースプールが、制御チャネルリソースプールおよびデータチャネルリソースプールを含み、
回路が、制御チャネルリソースプールについての第１のチャネルビジー率を測定し、データチャネルリソースプールについての第２のチャネルビジー率を測定するように動作する、
（３）に記載の装置。
【０１３３】
（４）．第１のノードが、異なる送信モードのうちの１つで動作しており、回路が、異なる送信モードに対して、それぞれ無線信号の異なるタイプのチャネルリソースプールについてのチャネルビジー率を測定するように動作する、（２）に記載の装置。
【０１３４】
（５）．異なる送信モードが、送信が基地局のスケジューリングに基づく第１の送信モードと、ユーザ機器の自律的なリソース割当てモードである第２の送信モードとを含み、
第１のノードが第１の送信モードで動作している場合、回路が、第１の送信モード向けの制御チャネルリソースプールについての第１のチャネルビジー率を測定し、第１の送信モード向けのデータチャネルリソースプールについての第２のチャネルビジー率を測定するように動作する、
（４）に記載の装置。
【０１３５】
（６）．異なる送信モードが第１の送信モードおよび第２の送信モードを含み、
第１のノードが第２の送信モードで動作している場合、回路が、第２の送信モード向けの制御チャネルリソースプールについての第１のチャネルビジー率を測定し、第２の送信モード向けのデータチャネルリソースプールについての第２のチャネルビジー率を測定するように動作する、
（４）に記載の装置。
【０１３６】
（７）．無線信号が複数のキャリアの無線信号である場合、回路が、キャリアごとに異なるタイプのチャネルリソースプールについてのチャネルビジー率を測定するように動作する、（２）に記載の装置。
【０１３７】
（８）．チャネルビジー率のうちの１つまたは複数が所定のしきい値を超える場合、無線信号が、チャネルビジー率のうちの１つまたは複数に対応する異なるタイプのチャネルリソースプールのうちの１つまたは複数の中の非占有リソース内で送信されない、（２）に記載の装置。
【０１３８】
（９）．回路が、
送信される無線信号の優先度よりも低い優先度を有するデータについて、占有されたリソース内の無線信号を送信すること、
占有されたリソースを占有するデータを廃棄することによって占有されたリソース内の無線信号を送信すること、
無線信号用の無線パラメータを調整することによって無線信号を送信すること、および
無線信号を送信するために所定の時間遅延すること
のうちの１つまたは複数を実行するように、トランシーバに命令するように動作する、（８）に記載の装置。
【０１３９】
（１０）．無線信号用の無線パラメータが、トランスポートブロックの送信電力および送信回数のうちの１つまたは複数を含む、（９）に記載の装置。
【０１４０】
（１１）．チャネルビジー率のうちの１つまたは複数が所定のしきい値を超えない場合、無線信号が、チャネルビジー率のうちの１つまたは複数に対応する異なるタイプのチャネルリソースプールのうちの１つまたは複数の中の非占有リソース内で送信される、（２）に記載の装置。
【０１４１】
（１２）．トランシーバが、測定されたチャネルビジー率を第２のノードに通知するように動作し、第１のノードがユーザ機器であり、第２のノードが基地局である、（２）に記載の装置。
【０１４２】
（１３）．トランシーバが、以下の条件：
所定の期間が経過する、
測定されたチャネルビジー率のうちの少なくとも１つが所定のしきい値を超える、または
通知が基地局によってトリガされる、
のうちの１つに応答して、測定されたチャネルビジー率を第２のノードに通知するように動作する、（１２）に記載の装置。
【０１４３】
（１４）．回路が、リソースの総数に対するリソースの占有数の比を計算することによってチャネルビジー率（ＣＢＲ）を測定するように動作し、
ソースの占有数が、しきい値より大きい電力を有する無線信号の計算単位の数を示し、リソースの総数が、無線信号の計算単位の総数を示す、
（２）に記載の装置。
【０１４４】
（１５）．無線信号の計算単位が、１つもしくは複数の物理リソースブロック、または１つもしくは複数のリソースブロックグループを含み、電力が、無線信号電力強度または電力スペクトル密度を含む、（１４）に記載の装置。
【０１４５】
（１６）．制御チャネルリソースプールが、物理サイドリンク制御チャネル（ＰＳＣＣＨ）リソースプールを含み、データチャネルリソースプールが、物理サイドリンク共有チャネル（ＰＳＳＣＨ）リソースプールを含む、（３）に記載の装置。
【０１４６】
（１７）．第１のノードが、異なる送信モードのうちの１つで動作しており、回路が、異なる送信モードに対して、無線信号のチャネルリソースプールについてのチャネルビジー率を測定するように動作する、（１）に記載の装置。
【０１４７】
（１８）．無線信号が複数のキャリアの無線信号である場合、回路が、キャリアごとにチャネルリソースプールについてのチャネルビジー率を測定するように動作する、（１）に記載の装置。
【０１４８】
（１９）．無線信号を送信および／または受信するように動作する第１のノードにおいて、
無線信号のチャネルリソースプールについての１つまたは複数のチャネルビジー率を測定するステップと、
測定された１つまたは複数のチャネルビジー率に基づいてチャネルリソースプールに対して輻輳制御を実行するステップと
を備える、方法。
【０１４９】
（２０）．無線信号の異なるタイプのチャネルリソースプールが、制御チャネルリソースプールおよびデータチャネルリソースプールを含み、
測定するステップが、制御チャネルリソースプールについての第１のチャネルビジー率を測定し、データチャネルリソースプールについての第２のチャネルビジー率を測定するステップを含む、
（１９）に記載の方法。
【０１５０】
（２１）．第１のノードが、異なる送信モードのうちの１つで動作しており、測定するステップが、異なる送信モードに対して、それぞれ無線信号の異なるタイプのチャネルリソースプールについてのチャネルビジー率を測定するステップを含む、（１９）に記載の方法。
【０１５１】
（２２）．異なる送信モードが、送信が基地局のスケジューリングに基づく第１の送信モード、およびユーザ機器の自律的なリソース割り当てモードである第２の送信モードを含み、
第１のノードが第１の送信モードで動作している場合、測定するステップが、第１の送信モード向けの制御チャネルリソースプールについての第１のチャネルビジー率を測定し、第１の送信モード向けのデータチャネルリソースプールについての第２のチャネルビジー率を測定するステップを含む、
（２１）に記載の方法。
【０１５２】
（２３）．異なる送信モードが第１の送信モードおよび第２の送信モードを含み、
第１のノードが第２の送信モードで動作している場合、測定するステップが、第２の送信モード向けの制御チャネルリソースプールについての第１のチャネルビジー率を測定し、第２の送信モード向けのデータチャネルリソースプールについての第２のチャネルビジー率を測定するステップを含む、
（２１）に記載の方法。
【０１５３】
（２４）．無線信号が複数のキャリアの無線信号である場合、測定するステップが、キャリアごとに異なるタイプのチャネルリソースプールについてのチャネルビジー率を測定するステップを含む、（１９）に記載の方法。
【０１５４】
（２５）．チャネルビジー率のうちの１つまたは複数が所定のしきい値を超える場合、実行するステップが、チャネルビジー率のうちの１つまたは複数に対応する異なるタイプのチャネルリソースプールのうちの１つまたは複数の中の非占有リソース内にない無線信号を送信するステップを含む、（１９）に記載の方法。
【０１５５】
（２６）．実行するステップが、
送信される無線信号の優先度よりも低い優先度を有するデータについて、占有されたリソース内の無線信号を送信するステップ、
占有されたリソースを占有するデータを廃棄することによって占有されたリソース内の無線信号を送信するステップ、
無線信号用の無線パラメータを調整することによって無線信号を送信するステップ、および
無線信号を送信するために所定の時間遅延するステップ
のうちの１つまたは複数を含む、（２５）に記載の方法。
【０１５６】
（２７）．無線信号用の無線パラメータが、トランスポートブロックの送信電力および送信回数のうちの１つまたは複数を含む、（２５）に記載の方法。
【０１５７】
（２８）．チャネルビジー率のうちの１つまたは複数が所定のしきい値を超えない場合、実行するステップが、チャネルビジー率のうちの１つまたは複数に対応する異なるタイプのチャネルリソースプールのうちの１つまたは複数の中の非占有リソース内の無線信号を送信するステップを含む、（１９）に記載の方法。
【０１５８】
（２９）．方法が、測定されたチャネルビジー率を第２のノードに通知するステップをさらに備え、第１のノードがユーザ機器であり、第２のノードが基地局である、（１９）に記載の方法。
【０１５９】
（３０）．方法が、以下の条件：
所定の期間が経過する、
測定されたチャネルビジー率のうちの少なくとも１つが所定のしきい値を超える、または
通知が基地局によってトリガされる、
のうちの１つに応答して、測定されたチャネルビジー率を第２のノードに通知するステップをさらに備える、（２９）に記載の方法。
【０１６０】
（３１）．測定するステップが、リソースの総数に対するリソースの占有数の比を計算することによってチャネルビジー率（ＣＢＲ）を測定するステップを含み、
ソースの占有数が、しきい値より大きい電力を有する無線信号の計算単位の数を示し、リソースの総数が、無線信号の計算単位の総数を示す、
（１９）に記載の方法。
【０１６１】
（３２）．無線信号の計算単位が、１つもしくは複数の物理リソースブロック、または１つもしくは複数のリソースブロックグループを含み、電力が、無線信号電力強度または電力スペクトル密度を含む、（３１）に記載の方法。
【０１６２】
（３３）．制御チャネルリソースプールが、物理サイドリンク制御チャネル（ＰＳＣＣＨ）リソースプールを含み、データチャネルリソースプールが、物理サイドリンク共有チャネル（ＰＳＳＣＨ）リソースプールを含む、（２０）に記載の方法。
【０１６３】
（３４）．第１のノードが、異なる送信モードのうちの１つで動作しており、測定するステップが、異なる送信モードに対して、無線信号のチャネルリソースプールについてのチャネルビジー率を測定するステップを含む、（１９）に記載の方法。
【０１６４】
（３５）．無線信号が複数のキャリアの無線信号である場合、測定するステップが、キャリアごとにチャネルリソースプールについてのチャネルビジー率を測定するステップを含む、（１９）に記載の方法。
【０１６５】
（３６）．第１のノードにおいて、
プロセッサと、
プロセッサによって実行されると、
それぞれ無線信号の異なるタイプのチャネルリソースプールについてのチャネルビジー率を測定するステップと、
測定されたチャネルビジー率に基づいて異なるタイプのチャネルリソースプールに対して輻輳制御を実行するステップと
を含む方法を実施するために、プロセッサと結合されたメモリと
を備える、システム。
【０１６６】
（３７）．無線信号の異なるタイプのチャネルリソースプールが、制御チャネルリソースプールおよびデータチャネルリソースプールを含み、
測定するステップが、制御チャネルリソースプールについての第１のチャネルビジー率を測定し、データチャネルリソースプールについての第２のチャネルビジー率を測定するステップを含む、
（３６）に記載のシステム。
【０１６７】
（３８）．第１のノードが、異なる送信モードのうちの１つで動作しており、測定するステップが、異なる送信モードに対して、それぞれ無線信号の異なるタイプのチャネルリソースプールについてのチャネルビジー率を測定するステップを含む、（３６）に記載のシステム。
【０１６８】
（３９）．異なる送信モードが、第１の送信モードおよび第２の送信モードを含み、
第１のノードが第１の送信モードで動作している場合、測定するステップが、第１の送信モード向けの制御チャネルリソースプールについての第１のチャネルビジー率を測定し、第１の送信モード向けのデータチャネルリソースプールについての第２のチャネルビジー率を測定するステップを含む、
（３８）に記載のシステム。
【０１６９】
（４０）．異なる送信モードが、第１の送信モードおよび第２の送信モードを含み、
測定するステップが、第２の送信モード向けの制御チャネルリソースプールについての第１のチャネルビジー率を測定し、第２の送信モード向けのデータチャネルリソースプールについての第２のチャネルビジー率を測定するステップを含む、
（３８）に記載のシステム。
【０１７０】
（４１）．無線信号が複数のキャリアの無線信号である場合、測定するステップが、キャリアごとに異なるタイプのチャネルリソースプールについてのチャネルビジー率を測定するステップを含む、（３６）に記載のシステム。
【０１７１】
（４２）．チャネルビジー率のうちの１つまたは複数が所定のしきい値を超える場合、実行するステップが、チャネルビジー率のうちの１つまたは複数に対応する異なるタイプのチャネルリソースプールのうちの１つまたは複数の中の非占有リソース内にない無線信号を送信するステップを含む、（３６）に記載のシステム。
【０１７２】
（４３）．実行するステップが、
送信されるべき無線信号の優先度よりも低い優先度を有するデータについて、占有されたリソース内の無線信号を送信するステップ、
占有されたリソースを占有するデータを廃棄することによって占有されたリソース内の無線信号を送信するステップ、
無線信号用の無線パラメータを調整することによって無線信号を送信するステップ、および
無線信号を送信するために所定の時間遅延するステップ
のうちの１つまたは複数を含む、（４２）に記載のシステム。
【０１７３】
（４４）．無線信号用の無線パラメータが、トランスポートブロックの送信電力および送信回数のうちの１つまたは複数を含む、（４３）に記載のシステム。
【０１７４】
（４５）．チャネルビジー率のうちの１つまたは複数が所定のしきい値を超えない場合、実行するステップが、チャネルビジー率のうちの１つまたは複数に対応する異なるタイプのチャネルリソースプールのうちの１つまたは複数の中の非占有リソース内の無線信号を送信するステップを含む、（３６）に記載のシステム。
【０１７５】
（４６）．方法が、測定されたチャネルビジー率を第２のノードに通知するステップをさらに備え、第１のノードがユーザ機器であり、第２のノードが基地局である、（３６）に記載のシステム。
【０１７６】
（４７）．方法が、以下の条件：
所定の期間が経過する、
測定されたチャネルビジー率のうちの少なくとも１つが所定のしきい値を超える、または
通知が基地局によってトリガされる、
のうちの１つに応答して、測定されたチャネルビジー率を第２のノードに通知するステップをさらに備える、（４６）に記載のシステム。
【０１７７】
（４８）．測定するステップが、リソースの総数に対するリソースの占有数の比を計算することによってチャネルビジー率（ＣＢＲ）を測定するステップを含み、
ソースの占有数が、しきい値より大きい電力を有する無線信号の計算単位の数を示し、リソースの総数が、無線信号の計算単位の総数を示す、
（３６）に記載のシステム。
【０１７８】
（４９）．無線信号の計算単位が、１つもしくは複数の物理リソースブロック、または１つもしくは複数のリソースブロックグループを含み、電力が、無線信号電力強度または電力スペクトル密度を含む、（４８）に記載のシステム。
【０１７９】
（５０）．制御チャネルリソースプールが、物理サイドリンク制御チャネル（ＰＳＣＣＨ）リソースプールを含み、データチャネルリソースプールが、物理サイドリンク共有チャネル（ＰＳＳＣＨ）リソースプールを含む、（３７）に記載のシステム。
【０１８０】
（５１）．第１のノードが、異なる送信モードのうちの１つで動作しており、測定するステップが、異なる送信モードに対して、無線信号のチャネルリソースプールについてのチャネルビジー率を測定するステップを含む、（３６）に記載の方法。
【０１８１】
（５２）．無線信号が複数のキャリアの無線信号である場合、測定するステップが、キャリアごとにチャネルリソースプールについてのチャネルビジー率を測定するステップを含む、（３６）に記載の方法。
【０１８２】
本開示は、ソフトウェア、ハードウェア、またはハードウェアと協働するソフトウェアによって実現することができる。上述された各実施形態の説明で使用された各機能ブロックは、集積回路としてのＬＳＩによって実現することができ、各実施形態に記載された各プロセスは、ＬＳＩによって制御されてもよい。それらはチップとして個別に形成されてもよく、１つのチップは機能ブロックの一部またはすべてを含むように形成されてもよい。それらは、それらに結合されたデータ入出力を含んでもよい。本明細書におけるＬＳＩは、集積度の違いに応じて、ＩＣ、システムＬＳＩ、スーパーＬＳＩ、またはウルトラＬＳＩと呼ばれてもよい。しかしながら、集積回路を実装する技法は、ＬＳＩに限定されず、専用回路または汎用プロセッサを使用して実現されてもよい。加えて、ＬＳＩの製造後にプログラムすることができるＦＰＧＡ（フィールドプログラマブルゲートアレイ）、またはＬＳＩ内部に配置された回路セルの接続および設定を再構成することができる再構成可能プロセッサが使用されてもよい。
【０１８３】
特定の実施形態の添付の図を参照して、本開示のいくつかの実施形態の例が上記で詳細に記載された。当然、構成要素または技法のすべての考えられる組合せを記載することは不可能なので、当業者は、本開示の範囲から逸脱することなく、上述された実施形態に様々な修正が行われてもよいことを諒解されよう。たとえば、上記の実施形態は、３ＧＰＰネットワークの一部を参照して記載されたが、本開示の実施形態は、同様の機能構成要素を有する、３ＧＰＰネットワークの後継などの同様のネットワークにも適用可能であることは容易に諒解されよう。
【０１８４】
したがって、詳細には、上記の説明および同封の図面および任意の添付の特許請求の範囲において使用される、３ＧＰＰという用語および関連付けられた用語または関連する用語は、現在または将来において、それに応じて解釈されるべきである。
【０１８５】
本開示は、ソフトウェア、ハードウェア、またはハードウェアと協働するソフトウェアによって実現することができる。上述された各実施形態の説明で使用された各機能ブロックは、集積回路としてのＬＳＩによって実現することができ、各実施形態に記載された各プロセスは、ＬＳＩによって制御されてもよい。それらはチップとして個別に形成されてもよく、１つのチップは機能ブロックの一部またはすべてを含むように形成されてもよい。それらは、それらに結合されたデータ入出力を含んでもよい。本明細書におけるＬＳＩは、集積度の違いに応じて、ＩＣ、システムＬＳＩ、スーパーＬＳＩ、またはウルトラＬＳＩと呼ばれてもよい。しかしながら、集積回路を実装する技法は、ＬＳＩに限定されず、専用回路または汎用プロセッサを使用して実現されてもよい。加えて、ＬＳＩの製造後にプログラムすることができるＦＰＧＡ（フィールドプログラマブルゲートアレイ）、またはＬＳＩ内部に配置された回路セルの接続および設定を再構成することができる再構成可能プロセッサが使用されてもよい。
【０１８６】
特に、開示された開示の修正形態および他の実施形態は、前述の説明および関連する図面に示された教示の利益を受ける当業者に思い浮かぶであろう。したがって、開示は、開示された特定の実施形態に限定されるべきではなく、修正形態および他の実施形態は、本開示の範囲内に含まれるものであることが理解されるべきである。本明細書では特定の用語が採用される場合があるが、それらは、一般的かつ説明的な意味でのみ使用され、限定の目的では使用されない。
【図１】
2020205648.tif 000003
【図２】
2020205648.tif 000004
【図３Ａ】
2020205648.tif 000005
【図３Ｂ】
2020205648.tif 000006
【図４】
2020205648.tif 000007
【図５】
2020205648.tif 000008
【図６】
2020205648.tif 000009
【図７Ａ】
2020205648.tif 000010
【図７Ｂ】
2020205648.tif 000011
【図７Ｃ】
2020205648.tif 000012
【図７Ｄ】
2020205648.tif 000013
【図８】
2020205648.tif 000014
【図９Ａ】
2020205648.tif 000015
【図９Ｂ】
2020205648.tif 000016
【図９Ｃ】
2020205648.tif 000017
【図１０】
2020205648.tif 000018